(57)【要約】      （修正有）【課題】線材の巻きが乱れず整列が容易で且つ線材の型崩れを防止する。【解決手段】巻取具１は、回転軸を中心に回転して線材を巻き取る胴部２と、胴部の一端側に胴部よりも大径に形成された第１鍔部３と、胴部の他端側に胴部よりも大径に形成された第２鍔部４と、第１鍔部の外周側から胴部の外周側に向けて回転軸に対して第１角度で傾斜する第１傾斜部５と、第２鍔部の外周側から胴部の外周側に向けて回転軸に対して第２角度で傾斜する第２傾斜部６とを備える。【選択図】図１
2017007766.tif 000002
【特許請求の範囲】
【請求項１】
回転軸を中心に回転して線材を巻き取る胴部と、
前記胴部の一端側に前記胴部よりも大径に形成された第１鍔部と、
前記胴部の他端側に前記胴部よりも大径に形成された第２鍔部と、
前記第１鍔部の外周側から前記胴部の外周側に向けて前記回転軸に対して第１角度で傾斜する第１傾斜部と、
前記第２鍔部の外周側から前記胴部の外周側に向けて前記回転軸に対して第２角度で傾斜する第２傾斜部とを備えた
ことを特徴とする巻取具。
【請求項２】
前記第１及び第２傾斜部は、前記胴部の中央に向けて傾斜している
ことを特徴とする請求項１記載の巻取具。
【請求項３】
前記第１及び第２傾斜部は、前記胴部の回転方向全周に亘って全面的に形成されている
ことを特徴とする請求項１又は２記載の巻取具。
【請求項４】
前記第１及び第２傾斜部は、前記回転軸の軸方向断面に沿って傾斜し且つ前記胴部の回転方向に沿って等間隔に配置されるよう部分的に形成されている
ことを特徴とする請求項１又は２記載の巻取具。
【請求項５】
前記第１及び第２傾斜部は、前記胴部に着脱自在な治具により形成されている
ことを特徴とする請求項１〜４のいずれか１項記載の巻取具。
【請求項６】
前記第１及び第２傾斜部は、前記胴部に一体的に形成されている
ことを特徴とする請求項１〜４のいずれか１項記載の巻取具。
【請求項７】
前記第１及び第２角度は、等角である
ことを特徴とする請求項１〜６のいずれか１項記載の巻取具。
【請求項８】
回転軸を中心に回転して線材を巻き取る胴部と、
前記胴部の一端側に前記胴部よりも大径に形成された第１鍔部と、
前記胴部の他端側に前記胴部よりも大径に形成された第２鍔部と、
前記第１鍔部の外周側から前記胴部の外周側に向けて前記回転軸に対して第１角度で傾斜する第１傾斜部と、
前記第２鍔部の外周側から前記胴部の外周側に向けて前記回転軸に対して第２角度で傾斜する第２傾斜部と
を備えた巻取具の前記胴部に前記第１及び第２傾斜部を介して巻き取られた電線。
【請求項９】
前記電線は、前記第１及び第２傾斜部がなす角度と等しい頂角を挟んで連続する２辺を有する異形電線である
ことを特徴とする請求項８記載の電線。
【請求項１０】
前記異形電線は、扇形電線である
ことを特徴とする請求項９記載の電線。
【発明の詳細な説明】
【技術分野】
【０００１】
本発明は、線材を巻き取る巻取具及びこの巻取具に巻き取られた電線に関する。
【背景技術】
【０００２】
従来より、線材を巻き取る巻取具として、例えば光ファイバケーブル用スペーサを整列させて巻き取る装置が知られている（下記特許文献１参照）。この装置は、１層目を整列巻きして巻回数を数え、２層目以降は前層と１／２ピッチずらして同じ巻き回数で巻き取るものである。
【先行技術文献】
【特許文献】
【０００３】
【特許文献１】特開平１０−１２９９３０号公報
【発明の概要】
【発明が解決しようとする課題】
【０００４】
しかしながら、特許文献１に開示された従来技術の巻き取り装置を用い、特に全長に亘って断面扇形などに成形された断面非円形状の線材を巻き取る場合、巻きが乱れ易く整列させることが困難で線材の型崩れが発生し易いという問題がある。
【０００５】
本発明は、上述した従来技術による問題点を解消し、線材の巻きが乱れず整列が容易で且つ線材の型崩れを防止することができる巻取具及びこの巻取具に巻き取られた電線を提供することを目的とする。
【課題を解決するための手段】
【０００６】
本発明に係る巻取具は、回転軸を中心に回転して線材を巻き取る胴部と、前記胴部の一端側に前記胴部よりも大径に形成された第１鍔部と、前記胴部の他端側に前記胴部よりも大径に形成された第２鍔部と、前記第１鍔部の外周側から前記胴部の外周側に向けて前記回転軸に対して第１角度で傾斜する第１傾斜部と、前記第２鍔部の外周側から前記胴部の外周側に向けて前記回転軸に対して第２角度で傾斜する第２傾斜部とを備えたことを特徴とする。
【０００７】
本発明に係る巻取具によれば、第１鍔部の外周側から胴部の外周側に向けて回転軸に対して第１角度で傾斜する第１傾斜部と、第２鍔部の外周側から胴部の外周側に向けて回転軸に対して第２角度で傾斜する第２傾斜部とが設けられているので、線材の巻きが乱れることはなく整列が容易となり、併せて型崩れを防止することが可能となる。
【０００８】
本発明の一実施形態においては、前記第１及び第２傾斜部は、前記胴部の中央に向けて傾斜している。
【０００９】
本発明の他の実施形態においては、前記第１及び第２傾斜部は、前記胴部の回転方向全周に亘って全面的に形成されている。
【００１０】
本発明の更に他の実施形態においては、前記第１及び第２傾斜部は、前記回転軸の軸方向断面に沿って傾斜し且つ前記胴部の回転方向に沿って等間隔に配置されるよう部分的に形成されている。
【００１１】
本発明の更に他の実施形態においては、前記第１及び第２傾斜部は、前記胴部に着脱自在な治具により形成されている。
【００１２】
本発明の更に他の実施形態においては、前記第１及び第２傾斜部は、前記胴部に一体的に形成されている。
【００１３】
本発明の更に他の実施形態においては、前記第１及び第２角度は、等角である。
【００１４】
本発明に係る電線は、回転軸を中心にして線材を巻き取る胴部と、前記胴部の一端側に前記胴部よりも大径に形成された第１鍔部と、前記胴部の他端側に前記胴部よりも大径に形成された第２鍔部と、前記第１鍔部の外周側から前記胴部の外周側に向けて前記回転軸に対して第１角度で傾斜する第１傾斜部と、前記第２鍔部の外周側から前記胴部の外周側に向けて前記回転軸に対して第２角度で傾斜する第２傾斜部とを備えた巻取具の前記胴部に前記第１及び第２傾斜部を介して巻き取られたものである。
【００１５】
本発明の一実施形態においては、前記電線は、前記第１及び第２傾斜部がなす角度と等しい頂角を挟んで連続する２辺を有する異形電線である。
【００１６】
本発明の他の実施形態においては、前記異形電線は、扇形電線である。
【発明の効果】
【００１７】
本発明によれば、線材の巻きが乱れず整列が容易で且つ線材の型崩れを防止することができる。
【図面の簡単な説明】
【００１８】
【図１】本発明の第１の実施形態に係る巻取具を示す斜視図である。
【図２】扇形電線の説明図である。
【図３】同巻取具への線材の巻取状態を示す一部断面図である。
【図４】同巻取具へ巻き取られた線材を示す斜視図である。
【図５】本発明の第２の実施形態に係る巻取具を示す斜視図である。
【図６】本発明の第３の実施形態に係る巻取具を示す斜視図である。
【図７】本発明の第４の実施形態に係る巻取具に巻き取られた線材の巻取状態を示す一部断面図である。
【図８】本発明の第５の実施形態に係る巻取具に巻き取られた線材の巻取状態を示す一部断面図である。
【発明を実施するための形態】
【００１９】
以下、添付の図面を参照して、本発明の実施の形態に係る巻取具及びこの巻取具に巻き取られた電線を詳細に説明する。
【００２０】
［第１の実施形態］
図１は、本発明の第１の実施形態に係る巻取具１を示す斜視図であり、図１（ａ）は全体図を示し、図１（ｂ）は分解図を示している。図１（ａ）及び（ｂ）に示すように、第１の実施形態に係る巻取具１は、回転軸Ｐを中心に回転して線材を巻き取る胴部２と、この胴部の一端側に胴部２よりも大径に形成された第１鍔部３と、胴部２の他端側に胴部２よりも大径に形成された第２鍔部４とを備えている。
【００２１】
巻取具１の胴部２は、円筒状又は円柱状に形成されており、第１及び第２鍔部３，４は、円盤状に形成されている。これら胴部２及び第１並びに第２鍔部３，４は、金属、木材、プラスチック等の材料からなり、既存の線材巻取ドラムにより構成することも可能である。
【００２２】
また、巻取具１は、第１鍔部３の外周側から胴部２の外周側に向けて回転軸Ｐに対して第１角度θ１で傾斜する第１傾斜部５と、第２鍔部４の外周側から胴部２の外周側に向けて回転軸Ｐに対して第２角度θ２で傾斜する第２傾斜部６とを形成する巻取治具７を備えている。
【００２３】
第１の実施形態においては、巻取治具７の第１及び第２傾斜部５，６は、胴部２の中央に向けて傾斜し、且つ胴部２の回転方向全周に亘って全面的に形成されている。具体的には、第１傾斜部５は、第１鍔部３の内側面３ｂにおける外周縁部３ａの近傍位置から、胴部２の中央に向けて回転方向全周において第１角度θ１で傾斜する曲面状に形成されている。また、第２傾斜部６は、第２鍔部４の内側面４ｂにおける外周縁部４ａの近傍位置から、胴部２の中央に向けて回転方向全周において第２角度θ２で傾斜する曲面状に形成されている。
【００２４】
なお、第１及び第２傾斜部５，６は、上記のように全面的に形成され曲面状に形成されていればよいので、厳密な意味での全面的及び曲面状ではなくてもよい。従って、巻取具１に巻き取られる線材の巻取位置に影響のない範囲で、例えばその表面が滑り止めのために粗面化されていたり、排水のために溝部が形成されていたりしてもよい。
【００２５】
また、第１及び第２角度θ１，θ２は、好ましくは等角であり、例えばそれぞれ３０°となっているが、これに限定されるものではなく、多少の角度ずれは許容され得る。このように、巻取治具７は、例えば同一形状の２つの円錐台の上面同士を向かい合わせて接続させたような形状を有する。従って、この場合の２つの円錐台は、胴部２の中央部分において回転軸Ｐと直交する基準断面を介して回転軸Ｐの軸方向に対称な形状を有している。
【００２６】
そして、巻取治具７は、図１（ｂ）に示すように、胴部２に対して着脱自在に分割可能な構造であることが好ましい。このようにすれば、胴部２及び第１並びに第２鍔部３，４で構成された既存の巻取ドラムに容易に適用することが可能となるので、新たなコストを抑えつつ汎用性を高めることができる。
【００２７】
分割された巻取治具７の胴部２への取り付けは、分割面同士を接着剤を介して接着するようにしたり、分割面に既存のロック機構（図示せず）を形成して互いをロックしたりすることにより行えばよい。なお、巻取治具７は、例えばウレタンや発泡スチロール、その他樹脂部材により形成されている。また、巻取治具７は、軽量化のために内部が中空構造であってもよい。
【００２８】
このように構成された巻取具１には、断面非円形状のみならず断面円形状の線材も含めて、種々の線材を巻きが乱れないように整列させて巻き取ることができる。これにより、線材の型崩れも防止することができる。ここで、巻き取られる線材の一例として、断面非円形状の扇形電線を例に挙げて説明する。
【００２９】
図２は、扇形電線の説明図であり、図２（ａ）は斜視図を示し、図２（ｂ）は断面図を示している。図２（ａ）及び（ｂ）に示すように、扇形電線１０は、断面形状が非円形状の、いわゆる扇形状となるように形成されている。扇形又は扇形状とは、一つの円弧部１３とその両端を通る二つの半径部１４，１４とで囲まれた形状をいう。二つの半径部１４，１４は１８０°未満であればよく、断面形状は厳密な扇形状ではなく、ほぼ扇形状であればよい。なお、扇形電線１０は、例えば銅、アルミニウム等の導電材からなる複数の素線を束ねた芯線１１が、絶縁樹脂などの絶縁材からなる被覆１２により覆われた構造を備えている。
【００３０】
次に、巻取具１への線材の巻取方法について説明する。
図３は、巻取具１への線材の巻取状態を示す一部断面図である。また、図４は、巻取具１へ巻き取られた線材を示す斜視図である。なお、図３に示す扇形電線１０内に記された数字は、巻取位置の順序を表している。従って、扇形電線１０は、「１→２→３…２８」の順に巻取具１に巻き取られる。巻取具１への巻き付けに際しての扇形電線１０の案内ガイドは、図示しないトラバーサにより行われる。
【００３１】
図３に示すように、巻取具１に巻き取られた扇形電線１０は、巻取順「１」のものが第１層、巻取順「２，３」のものが第２層、巻取順「４，５，６」のものが第３層、巻取順「７，８，９，１０」のものが第４層、巻取順「１１，１２，１３，１４，１５」のものが第５層、巻取順「１６，１７，１８，１９，２０，２１」のものが第６層、及び巻取順「２２，２３，２４，２５，２６，２７，２８」のものが第７層を構成している。なお、図示の例では第１層〜第７層に扇形電線１０を巻き取った巻取状態を示しているが、これに限定されるものではなく、例えば適宜巻き取りの層数は変更し得る。
【００３２】
このとき、図示のように、第１層の扇形電線１０の二つの半径部１４，１４と、第２層〜第７層の回転軸Ｐの軸方向の端部に巻き取られた扇形電線１０の一つの半径部１４は、巻取治具７の第１及び第２傾斜部５，６と面接触し、巻取位置が固定され得る。また、第３層〜第７層の端部にない巻取順「５，８，９，１２〜１４，１７〜２０，２３〜２７」の扇形電線１０は、二つの半径部１４，１４が下層の扇形電線１０の円弧部１３間に挟まるように配置され得る。なお、これは好適な巻取方法の一例であって、これに限定されることを意味しない。すなわち、例えば第１及び第２傾斜部５，６の胴部２の外周側における交点部分が回転軸Ｐの軸方向に偏っていたり、第１及び第２角度θ１，θ２が僅かにずれていたりしても、巻取り具１においては扇形電線１０を良好に巻き取り可能である。
【００３３】
これら端部にない扇形電線１０は、更に各層の端部間において、それぞれ第１及び第２傾斜部５，６と面接触する巻取順「４，６」、巻取順「７，１０」、巻取順「１１，１５」、巻取順「１６，２１」、巻取順「２２，２８」の扇形電線１０に回転軸Ｐの軸方向に沿って挟まれるように配置されている。
【００３４】
従って、各扇形電線１０は巻取具１への巻取中及び巻取後に巻きが乱れることはなく、巻取位置が固定されるので、図４に示すように、容易に整列させて巻き取ることが可能となる。また、扇形電線１０の向きを揃えて整列させて巻き取ることができるので、扇形電線１０の型崩れを確実に防止することが可能となる。
【００３５】
そして、扇形電線１０は、図４に示すような整列状態で巻取具１に確実に巻き取られるため、品質を保証した状態で扇形電線１０を巻取具１と共に運搬、納品等行うことができるようになる。このため、扇形電線１０の生産性及び取扱作業性を著しく向上させることが可能となる。
【００３６】
なお、第１層の扇形電線１０、及び第２層〜第７層の回転軸Ｐの軸方向の端部にある扇形電線１０の保持を確実にし、巻き取られた扇形電線１０全体の巻取位置をより正確に固定するためには、各扇形電線１０の半径部１４と第１及び第２傾斜部５，６との接触面積を大きくすることが好ましい。
【００３７】
この場合、扇形電線１０は、連続する二つの半径部１４，１４の頂角が、第１及び第２傾斜部５，６がなす角度とほぼ等しくなるように成形されているとよい。このようにすれば、上述した接触面積を増大させてより安定的に扇形電線１０を巻取具１に巻き取ることが可能となる。
【００３８】
［第２の実施形態］
図５は、本発明の第２の実施形態に係る巻取具１を示す斜視図であり、図５（ａ）は全体図を示し、図５（ｂ）は分解図を示している。なお、図５を含む以降の説明においては、第１の実施形態と同一の構成要素に関しては同一の符号を付しているので、以下では重複する説明は省略する。
【００３９】
図５（ａ）及び（ｂ）に示すように、第２の実施形態に係る巻取具１は、胴部２に対して着脱自在に分割可能な構造の巻取治具８に備えられた第１及び第２傾斜部５，６が、回転軸Ｐの軸方向断面に沿って傾斜し且つ胴部２の回転方向に沿って等間隔に複数配置されるよう部分的に形成されている。この点が、上述した第１の実施形態に係る巻取具１の巻取治具７では、第１及び第２傾斜部５，６が、胴部２の回転方向全周に亘って全面的に形成されているのとは相違している。
【００４０】
なお、巻取治具８の第１及び第２傾斜部５，６は、図示の例では胴部２の回転方向に沿って８箇所に設けられているが、少なくとも等間隔に２箇所に設けられていればよい。このように構成された第２の実施形態に係る巻取具１においても、線材を巻きが乱れずに容易に整列させて巻き取り、型崩れを防止することができるので、第１の実施形態における作用効果と同様の作用効果を奏することができる。
【００４１】
［第３の実施形態］
図６は、本発明の第３の実施形態に係る巻取具１Ａを示す斜視図である。
図６に示すように、第３の実施形態に係る巻取具１Ａは、第１及び第２傾斜部５，６が、胴部２に一体的に形成されている。この点が、上述した第１の実施形態に係る巻取具１では、第１及び第２傾斜部５，６が胴部２に対して着脱自在な巻取治具７に設けられているのとは相違している。
【００４２】
なお、第１及び第２傾斜部５，６が胴部２に一体的に形成されているので、巻取具１Ａに巻き取られる線材の種別に対してそれぞれ巻取具１Ａが専用設計となるが、巻取治具７が脱落する等の虞がないため取扱性は向上させることができる。また、図示は省略するが、胴部２に一体的に形成された第１及び第２傾斜部５，６として、第２の実施形態のような部分的な第１及び第２傾斜部５，６が、回転軸Ｐの軸方向断面に沿って傾斜し且つ胴部２の回転方向に沿って等間隔に複数配置されるよう、胴部２及び第１並びに第２鍔部３，４に一体的に形成されていてもよい。このように構成された第３の実施形態に係る巻取具１Ａにおいても、第１及び第２の実施形態における作用効果と同様の作用効果を奏することができる。
【００４３】
［第４の実施形態］
図７は、本発明の第４の実施形態に係る巻取具に巻き取られた線材の巻取状態を示す一部断面図である。図７に示すように、第４の実施形態においては、第１の実施形態の巻取具１に巻き取られる線材として、断面非円形状の直線状の四つの辺部２１を有する菱形電線２０が巻き取られている。この点が、上述した第１の実施形態においては、扇形電線１０が巻き取られるのとは相違している。
【００４４】
なお、この場合においても、菱形電線２０の連続する二つの辺部２１の頂角と巻取治具７の第１及び第２傾斜部５，６がなす角度とをほぼ等しくすることが好適である。このように線材として菱形電線２０を巻取具１で巻き取っても、巻きが乱れずに容易に整列させ、型崩れを防止することができる。従って、第１の実施形態における作用効果と同様の作用効果を奏することができる。
【００４５】
［第５の実施形態］
図８は、本発明の第５の実施形態に係る巻取具に巻き取られた線材の巻取状態を示す一部断面図である。図８に示すように、第５の実施形態においては、巻取治具７の第１傾斜部５の胴部２側の端部と、第２傾斜部６の胴部２側の端部とが、第１及び第２角度θ１，θ２を維持したまま胴部２の外周側で回転方向全周に亘って交わっておらず、胴部２の中央から回転方向全周に亘って放射状に突出する突出部９が各胴部２側の端部間に設けられている。この点が、上述した第１の実施形態においては、第１及び第２傾斜部５，６の胴部２側の端部が第１及び第２角度θ１，θ２を維持したまま胴部２の外周側で回転方向全周に亘って交わっているのとは相違している。
【００４６】
すなわち、第５の実施形態では、第１及び第２傾斜部５，６が、突出部９を含めて回転軸Ｐの軸方向断面で側方から見ると、Ｗ字状に形成されているのに対し、第１の実施形態では、第１及び第２傾斜部５，６がＶ字状に形成されている。このように構成された第５の実施形態に係る巻取具１においても、第１の実施形態における作用効果と同様の作用効果を奏することができる。
【００４７】
なお、上述した各実施形態においては、第１及び第２傾斜部５，６は、胴部２の中央に向けて第１及び第２角度θ１，θ２で傾斜し、胴部２の中央部分において回転軸Ｐと直交する基準断面を介して回転軸Ｐの軸方向に対称な形状であることを前提とした。その他、第１及び第２傾斜部５，６は、線材の型崩れを起こさずに巻き取れるのであれば、胴部２側の端部が交わる位置が胴部２の中央から回転軸Ｐの軸方向にずれた位置となるように形成されたり、基準断面を介して非対称な形状で形成されたりし得る。また、第１及び第２傾斜部５，６は、上述したＶ字状、Ｗ字状の他に、逆台形状や漏斗状など、第１及び第２角度θ１，θ２で傾斜する部分を有する種々の形状が採用され得る。
【００４８】
以上、本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれると共に、特許請求の範囲に記載された発明とその均等の範囲に含まれる。
【符号の説明】
【００４９】
１，１Ａ    巻取具
２          胴部
３          第１鍔部
３ａ，４ａ  外周縁部
３ｂ，４ｂ  内側面
４          第２鍔部
５          第１傾斜部
６          第２傾斜部
７，８      巻取治具
９          突出部
１０        扇形電線
１１        芯線
１２        被覆
１３        円弧部
１４        半径部
２０        菱形電線
２１        辺部
【図１】
2017007766.tif 000003
【図２】
2017007766.tif 000004
【図３】
2017007766.tif 000005
【図４】
2017007766.tif 000006
【図５】
2017007766.tif 000007
【図６】
2017007766.tif 000008
【図７】
2017007766.tif 000009
【図８】
2017007766.tif 000010